(57)【要約】【課題】ケーブルの誤接続をユーザに通知することができる映像音声出力装置を提供する。【解決手段】映像音声出力装置２は、映像音声出力用端子２２と、音声出力用端子２４と、ケーブル６の接続状態を検出する検出部２６と、検出部２６の検出結果に基づいて音声出力用端子２４を映像音声出力モード及び音声出力モードのいずれかに切り替える切替部２８と、ケーブル６が音声出力用端子２４に接続され且つ映像音声出力用端子２２に接続されていないと検出された場合であって、切替部２８が音声出力用端子２４を映像音声出力モードに保持する際に、音声出力用端子２４からケーブル６を介して表示装置４に出力される映像信号を利用して、通知画面３４を表示装置４に表示させる表示制御部１２とを備える。切替部２８は、ケーブル６が映像音声出力用端子２２に接続されたと検出された際に、音声出力用端子２４を映像音声出力モードから音声出力モードに切り替える。【選択図】図１
2020198464.tif 000002
【特許請求の範囲】
【請求項１】
表示装置とケーブルを介して接続される映像音声出力装置であって、
前記ケーブルを接続可能であり、多重化された映像信号及び音声信号を出力する映像音声出力用端子と、
前記ケーブルを接続可能であり、映像音声出力モードでは多重化された映像信号及び音声信号を出力し、音声出力モードでは音声信号を出力する音声出力用端子と、
前記映像音声出力用端子及び前記音声出力用端子の各々に対する前記ケーブルの接続状態を検出する検出部と、
前記検出部の検出結果に基づいて、前記音声出力用端子を前記映像音声出力モード及び前記音声出力モードのいずれかに切り替える切替部と、
前記検出部により前記ケーブルが前記音声出力用端子に接続され且つ前記映像音声出力用端子に接続されていないと検出された場合であって、前記切替部が前記音声出力用端子を前記映像音声出力モードに保持する際に、前記音声出力用端子から前記ケーブルを介して前記表示装置に出力される映像信号を利用して、前記ケーブルの接続状態に関する情報をユーザに通知するための通知画面を前記表示装置に表示させる表示制御部と、を備え、
前記切替部は、前記検出部により前記ケーブルが前記映像音声出力用端子に接続されたと検出された際に、前記音声出力用端子を前記映像音声出力モードから前記音声出力モードに切り替える
映像音声出力装置。
【請求項２】
前記切替部は、前記映像音声出力装置の電源投入時に、前記音声出力用端子を前記映像音声出力モードに保持し、
前記検出部は、前記切替部が前記音声出力用端子を前記映像音声出力モードに保持した状態で、前記ケーブルの接続状態を検出する
請求項１に記載の映像音声出力装置。
【請求項３】
前記切替部は、前記音声出力用端子が前記音声出力モードに保持された状態で、前記検出部により前記ケーブルの接続状態が変化したと検出された場合であって、前記検出部により前記ケーブルが前記音声出力用端子に接続され且つ前記映像音声出力用端子に接続されていないと検出された際に、前記音声出力用端子を前記音声出力モードから前記映像音声出力モードに切り替える
請求項１又は２に記載の映像音声出力装置。
【請求項４】
前記表示制御部は、
前記通知画面を示す画像信号を生成する生成部と、
映像信号を取得する映像信号取得部と、を有し、
前記映像信号取得部は、前記生成部により画像信号が生成された際に、当該画像信号を、前記映像音声出力モードに保持された前記音声出力用端子に供給するための映像信号に重畳させる
請求項１〜３のいずれか１項に記載の映像音声出力装置。
【請求項５】
前記映像音声出力装置は、さらに、
音声信号を取得する音声信号取得部と、
前記映像信号取得部からの映像信号及び前記音声信号取得部からの音声信号を多重化する映像音声多重化部と、を備え、
前記切替部は、
前記映像音声出力モードでは、前記映像音声出力用端子及び前記音声出力用端子の各々の接続先を前記映像音声多重化部に設定し、
前記音声出力モードでは、前記映像音声出力用端子の接続先を前記映像音声多重化部に設定し、且つ、前記音声出力用端子の接続先を前記音声信号取得部に設定する
請求項４に記載の映像音声出力装置。
【請求項６】
表示装置とケーブルを介して接続される映像音声出力装置の制御方法であって、
前記映像音声出力装置は、
前記ケーブルを接続可能であり、多重化された映像信号及び音声信号を出力する映像音声出力用端子と、
前記ケーブルを接続可能であり、映像音声出力モードでは多重化された映像信号及び音声信号を出力し、音声出力モードでは音声信号を出力する音声出力用端子と、を備え、
前記制御方法は、
前記映像音声出力用端子及び前記音声出力用端子の各々に対する前記ケーブルの接続状態を検出するステップと、
前記ケーブルが前記音声出力用端子に接続され且つ前記映像音声出力用端子に接続されていないと検出された場合であって、前記切替部が前記音声出力用端子を前記映像音声出力モードに保持する際に、前記音声出力用端子から前記ケーブルを介して前記表示装置に出力される映像信号を利用して、前記ケーブルの接続状態に関する情報をユーザに通知するための通知画面を前記表示装置に表示させるステップと、
前記ケーブルが前記映像音声出力用端子に接続されたと検出された際に、前記音声出力用端子を前記映像音声出力モードから前記音声出力モードに切り替えるステップと、を含む
映像音声出力装置の制御方法。
【発明の詳細な説明】
【技術分野】
【０００１】
本開示は、映像音声出力装置及びその制御方法に関する。
【背景技術】
【０００２】
特許文献１は、表示装置とケーブルを介して接続される映像音声出力装置を開示する。特許文献１の映像音声出力装置は、多重化された映像信号及び音声信号を出力する映像音声出力用端子を備えている。映像音声出力用端子には、ケーブルを介して表示装置が接続される。これにより、映像音声出力用端子からの多重化された映像信号及び音声信号は、ケーブルを介して表示装置に出力される。
【０００３】
近年、映像の高解像度化及び音声のハイレゾ化が進められている。しかしながら、上述した映像音声出力装置では、映像音声出力用端子から出力される映像信号及び音声信号は互いにノイズとして干渉し合うため、高画質・高音質がそれぞれ損なわれるおそれがある。
【０００４】
そのため、上述した映像音声出力用端子に加えて、音声信号のみを出力する音声出力用端子を備えた映像音声出力装置が提案されている。映像音声出力用端子には、ケーブルを介してテレビやプロジェクタ等の映像機器が接続され、音声出力用端子には、ケーブルを介してオーディオアンプ等の音響機器が接続される。このように、映像信号及び音声信号を別の出力端子、別のケーブルで分離してそれぞれの接続機器へ出力することにより、映像信号及び音声信号が互いに干渉することなく高画質・高音質な出力が可能となる。
【先行技術文献】
【特許文献】
【０００５】
【特許文献１】特開２０１２−４９７２３号公報
【発明の概要】
【発明が解決しようとする課題】
【０００６】
本開示は、ケーブルの誤接続をユーザに通知することができる映像音声出力装置及びその制御方法を提供する。
【課題を解決するための手段】
【０００７】
本開示における映像音声出力装置は、表示装置とケーブルを介して接続される映像音声出力装置であって、ケーブルを接続可能であり、多重化された映像信号及び音声信号を出力する映像音声出力用端子と、ケーブルを接続可能であり、映像音声出力モードでは多重化された映像信号及び音声信号を出力し、音声出力モードでは音声信号を出力する音声出力用端子と、映像音声出力用端子及び音声出力用端子の各々に対するケーブルの接続状態を検出する検出部と、検出部の検出結果に基づいて、音声出力用端子を映像音声出力モード及び音声出力モードのいずれかに切り替える切替部と、検出部によりケーブルが音声出力用端子に接続され且つ映像音声出力用端子に接続されていないと検出された場合であって、切替部が音声出力用端子を映像音声出力モードに保持する際に、音声出力用端子からケーブルを介して表示装置に出力される映像信号を利用して、ケーブルの接続状態に関する情報をユーザに通知するための通知画面を表示装置に表示させる表示制御部と、を備え、切替部は、検出部によりケーブルが映像音声出力用端子に接続されたと検出された際に、音声出力用端子を映像音声出力モードから音声出力モードに切り替える。
【発明の効果】
【０００８】
本開示における映像音声出力装置によれば、ケーブルの誤接続をユーザに通知することができる。
【図面の簡単な説明】
【０００９】
【図１】音声出力用端子が映像音声出力モードに切り替えられた状態での、実施の形態１に係る映像音声出力装置の構成を示すブロック図である。
【図２】音声出力用端子が音声出力モードに切り替えられた状態での、実施の形態１に係る映像音声出力装置の構成を示すブロック図である。
【図３】実施の形態１に係る映像音声出力装置の検出部の検出結果の一例を示す図である。
【図４】実施の形態１に係る映像音声出力装置の動作の流れを示すフローチャートである。
【図５】図４のフローチャートのステップＳ１０５の内容を説明するための図である。
【図６】図４のフローチャートのステップＳ１１０の内容を説明するための図である。
【図７】実施の形態２に係る映像音声出力装置の構成を示すブロック図である。
【図８】実施の形態２に係る映像音声出力装置の動作の流れを示すフローチャートである。
【発明を実施するための形態】
【００１０】
（本開示の基礎となった知見）
本発明者らは、「背景技術」の欄において記載した技術に関し、以下の問題が生じることを見出した。
【００１１】
上述した２つの出力用端子、すなわち映像音声出力用端子及び音声出力用端子を備えた映像音声出力装置では、表示装置を映像音声出力用端子に接続する必要がある。しかしながら、ユーザが誤って表示装置を音声出力用端子に接続した場合には、映像信号が表示装置に出力されないため、表示装置には何も表示されなくなる。この場合、ユーザは、ケーブルを誤接続したことに気付かずに、映像音声出力装置又は表示装置が故障したと誤解するおそれがある。
【００１２】
このようなユーザによるケーブルの誤接続を回避するために、映像音声出力装置の工場出荷時に、音声出力用端子を予めシールで封印する対策が行われている。しかしながら、このような対策方法では、作業員等が音声出力用端子にシールを貼り付ける作業を行う必要があるため、映像音声出力装置の製造工数及び材料コストが増大するという問題が生じる。
【００１３】
本開示は、このような知見に基づいてなされたものであり、本発明者らが鋭意検討した結果、ケーブルの誤接続をユーザに通知することができる映像音声出力装置についての着想を得た。
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、発明者らは、当業者が本開示を十分に理解するために添付図面及び以下の説明を提供するのであって、これらによって特許請求の範囲に記載の主題を限定することを意図するものではない。
【００１６】
（実施の形態１）
以下、図１〜図６を参照しながら、実施の形態１について説明する。
【００１７】
［１−１．映像音声出力装置の構成］
まず、図１〜図３を参照しながら、実施の形態１に係る映像音声出力装置２の構成について説明する。図１は、音声出力用端子２４が映像音声出力モードに切り替えられた状態での、実施の形態１に係る映像音声出力装置２の構成を示すブロック図である。図２は、音声出力用端子２４が音声出力モードに切り替えられた状態での、実施の形態１に係る映像音声出力装置２の構成を示すブロック図である。図３は、実施の形態１に係る映像音声出力装置２の検出部２６の検出結果の一例を示す図である。
【００１８】
本実施の形態では、映像音声出力装置２は、例えばＢＤ（Ｂｌｕ−ｒａｙ（登録商標）  Ｄｉｓｃ）等を再生することにより、映像信号及び音声信号を表示装置４（後述する図５及び図６参照）に出力するためのＢＤレコーダである。なお、表示装置４は、例えば液晶表示パネル及びスピーカを備えたテレビジョン受像機である。
【００１９】
映像音声出力装置２及び表示装置４は、いずれもＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）（登録商標）機器である。映像音声出力装置２と表示装置４とは、ケーブル６（後述する図５及び図６参照）を介して相互に接続される。ケーブル６は、ＨＤＭＩ（登録商標）規格に準拠した、デジタル信号を伝送するためのＨＤＭＩ（登録商標）ケーブルである。なお、ＨＤＭＩ（登録商標）規格とは、映像信号及び音声信号をデジタル信号で伝送する通信インタフェースの標準規格である。
【００２０】
図１に示すように、映像音声出力装置２は、ディスク部８と、デコーダ部１０と、表示制御部１２と、映像解像度変換部１４と、音声信号取得部１６と、映像音声多重化部２０と、映像音声出力用端子２２と、音声出力用端子２４と、検出部２６と、切替部２８とを備えている。
【００２１】
ディスク部８は、例えばＢＤ、ＤＶＤ（Ｄｉｇｉｔａｌ  Ｖｅｒｓａｔｉｌｅ  Ｄｉｓｃ）及びＨＤＤ（Ｈａｒｄ  Ｄｉｓｃ  Ｄｒｉｖｅ）等から映像音声符号化データを読み出す。ディスク部８は、読み出した映像音声符号化データをデコーダ部１０に出力する。
【００２２】
デコーダ部１０は、ディスク部８により読み出された映像音声符号化データから、映像信号及び音声信号を復号する。デコーダ部１０は、復号した映像信号を表示制御部１２の映像信号取得部３２（後述する）に出力する。また、デコーダ部１０は、復号した音声信号を音声信号取得部１６に出力する。
【００２３】
表示制御部１２は、ＯＳＤ（Ｏｎ  Ｓｃｒｅｅｎ  Ｄｉｓｐｌａｙ）生成部３０（生成部の一例）と、映像信号取得部３２とを有している。
【００２４】
ＯＳＤ生成部３０は、表示装置４に表示するためのＧＵＩ（Ｇｒａｐｈｉｃａｌ  Ｕｓｅｒ  Ｉｎｔｅｒｆａｃｅ）画像を示す画像信号を生成する。具体的には、ＯＳＤ生成部３０は、音声出力用端子２４が映像音声出力モード（後述する）に保持された状態で、検出部２６の検出結果が「接続状態２」（後述する）である際に、通知画面３４（後述する図５参照）を示す画像信号を生成する。ここで、通知画面３４は、ケーブル６の接続状態に関する情報をユーザに通知するためのＧＵＩ画像である。また、ＯＳＤ生成部３０は、例えば映像音声出力装置２の初回電源投入時に、初期設定画面３６（後述する図６参照）を示す画像信号を生成する。ここで、初期設定画面３６は、ユーザが映像音声出力装置２の初期設定を行うためのＧＵＩ画像である。ＯＳＤ生成部３０は、生成した画像信号を映像信号取得部３２に出力する。
【００２５】
映像信号取得部３２は、デコーダ部１０からの映像信号を取得し、取得した映像信号を映像解像度変換部１４に出力する。また、ＯＳＤ生成部３０により画像信号が生成された際には、映像信号取得部３２は、デコーダ部１０からの映像信号及びＯＳＤ生成部３０からの画像信号を取得し、取得した画像信号を映像信号に重畳させる。この場合、映像信号取得部３２は、画像信号を重畳させた映像信号を、映像解像度変換部１４に出力する。
【００２６】
映像解像度変換部１４は、映像音声出力装置２の初期設定の内容や表示装置４の表示性能情報等に基づいて、映像信号取得部３２からの映像信号の解像度を例えば４Ｋ（３８４０×２１６０ピクセルの解像度）等に変換する。映像解像度変換部１４は、解像度を変換した映像信号を、映像音声多重化部２０及び切替部２８に出力する。
【００２７】
音声信号取得部１６は、デコーダ部１０からの音声信号を取得し、取得した音声信号を映像音声多重化部２０及び切替部２８に出力する。
【００２８】
映像音声多重化部２０は、映像解像度変換部１４からの映像信号と、音声信号取得部１６からの音声信号とを多重化する。映像音声多重化部２０は、多重化された映像信号及び音声信号を切替部２８に出力する。
【００２９】
映像音声出力用端子２２は、ケーブル６を接続するためのＨＤＭＩ（登録商標）端子である。映像音声出力用端子２２は、映像音声出力モード（図１及び図２参照）では多重化された映像信号及び音声信号を出力し、映像出力モード（図示せず）では映像信号のみを出力する。なお、映像出力モードでは、映像信号と音声信号とが多重化されないため、映像音声出力用端子２２は、音声信号と干渉しない高画質の映像信号を出力することができる。通常の使用状態では、映像音声出力用端子２２には、ケーブル６を介して表示装置４が接続される。
【００３０】
音声出力用端子２４は、ケーブル６を接続するためのＨＤＭＩ（登録商標）端子である。音声出力用端子２４は、映像音声出力モード（図１参照）では多重化された映像信号及び音声信号を出力し、音声出力モード（図２参照）では音声信号のみを出力する。なお、音声出力モードでは、映像信号と音声信号とが多重化されないため、音声出力用端子２４は、映像信号と干渉しない高音質の音声信号を出力することができる。通常の使用状態では、音声出力用端子２４には、何も接続されないか、ケーブル６を介して例えばオーディオアンプ３８（後述する図６参照）等の音響機器が接続される。
【００３１】
検出部２６は、映像音声出力用端子２２及び音声出力用端子２４の各々に対するケーブル６の接続状態を検出し、検出結果を切替部２８及びＯＳＤ生成部３０に出力する。なお、検出部２６は、例えば表示装置４及びオーディオアンプ３８等のＨＤＭＩ（登録商標）機器からケーブル６を介して出力されてきたホットプラグ信号に基づいて、ケーブル６の接続状態を検出する。また、ケーブル６の接続状態の検出には、ホットプラグ信号以外にも、例えば、物理的な機構によりケーブル６の接続状態を検出する方式や、特定の信号線の電圧状態によってケーブル６の接続状態を検出する方式等を用いても構わない。
【００３２】
ここで、図３を参照しながら、検出部２６の検出結果について説明する。図３に示すように、検出部２６は、ケーブル６が映像音声出力用端子２２及び音声出力用端子２４のいずれにも接続されていないと検出した場合には、検出結果を「接続状態１」と判定する。また、検出部２６は、ケーブル６が音声出力用端子２４に接続され且つ映像音声出力用端子２２に接続されていないと検出した場合には、検出結果を「接続状態２」と判定する。また、検出部２６は、ケーブル６が映像音声出力用端子２２に接続され且つ音声出力用端子２４に接続されていないと検出した場合には、検出結果を「接続状態３」と判定する。また、検出部２６は、ケーブル６が映像音声出力用端子２２及び音声出力用端子２４の両方に接続されている（すなわち、２本のケーブル６が映像音声出力用端子２２及び音声出力用端子２４にそれぞれ接続されている）と検出した場合には、検出結果を「接続状態４」と判定する。
【００３３】
切替部２８は、検出部２６の検出結果に基づいて、音声出力用端子２４を映像音声出力モード及び音声出力モードのいずれかに切り替える。具体的には、切替部２８は、図１に示す映像音声出力モードでは、音声出力用端子２４の接続先を映像音声多重化部２０に設定し、図２に示す音声出力モードでは、音声出力用端子２４の接続先を音声信号取得部１６に設定する。切替部２８は、映像音声出力装置２の初回電源投入時には、音声出力用端子２４を映像音声出力モードに保持する。また、切替部２８は、通知画面３４が表示装置４に表示された後に、検出部２６の検出結果が「接続状態３」又は「接続状態４」となった際に、音声出力用端子２４を映像音声出力モードから音声出力モードに切り替える。
【００３４】
また、切替部２８は、検出部２６の検出結果に基づいて、映像音声出力用端子２２を映像音声出力モード及び映像出力モードのいずれかに切り替える。具体的には、切替部２８は、図１及び図２に示す映像音声出力モードでは、映像音声出力用端子２２の接続先を映像音声多重化部２０に設定し、図示しない映像出力モードでは、映像音声出力用端子２２の接続先を映像解像度変換部１４に設定する。切替部２８は、検出部２６の検出結果が「接続状態１」、「接続状態２」及び「接続状態３」のいずれかである場合に、映像音声出力用端子２２を映像音声出力モードに切り替え、検出部２６の検出結果が「接続状態４」である場合に、映像音声出力用端子２２を映像出力モードに切り替える。なお、切替部２８は、検出部２６の検出結果に拘らず、映像音声出力用端子２２を映像音声出力モードに保持してもよい。
【００３５】
［１−２．映像音声出力装置の動作］
次に、図４〜図６を参照しながら、実施の形態１に係る映像音声出力装置２の動作について説明する。図４は、実施の形態１に係る映像音声出力装置２の動作の流れを示すフローチャートである。図５は、図４のフローチャートのステップＳ１０５の内容を説明するための図である。図６は、図４のフローチャートのステップＳ１１０の内容を説明するための図である。
【００３６】
以下、ユーザが、映像音声出力装置２の購入後に初めて、映像音声出力装置２と表示装置４とをケーブル６を介して接続して映像音声出力装置２の電源を投入し、映像音声出力装置２の初期設定を行う場合について説明する。なお、説明の都合上、以下の説明では、映像音声出力用端子２２は、検出部２６の検出結果に拘らず、映像音声出力モードに保持されているものとする。
【００３７】
図４に示すように、まず、ユーザにより映像音声出力装置２の電源が投入される（Ｓ１０１）。この映像音声出力装置２の初回電源投入時には、切替部２８は、音声出力用端子２４を映像音声出力モードに保持する（Ｓ１０２）。
【００３８】
検出部２６は、映像音声出力用端子２２及び音声出力用端子２４の各々に対するケーブル６の接続状態を検出し（Ｓ１０３）、検出結果が「接続状態１」〜「接続状態４」のいずれであるかを判定する（Ｓ１０４）。この時、検出部２６は、検出結果をＯＳＤ生成部３０に出力する。
【００３９】
ユーザが表示装置４に接続されたケーブル６を映像音声出力用端子２２及び音声出力用端子２４のいずれにも接続していないことにより、検出部２６が検出結果を「接続状態１」と判定した場合には（Ｓ１０４で「接続状態１」）、上述したステップＳ１０３に戻る。
【００４０】
また、ステップＳ１０４において、ユーザが誤って表示装置４に接続されたケーブル６を音声出力用端子２４のみに接続することにより、検出部２６が検出結果を「接続状態２」と判定した場合には（Ｓ１０４で「接続状態２」）、ＯＳＤ生成部３０は、検出部２６の検出結果に基づいて、通知画面３４を示す画像信号を生成する。映像信号取得部３２は、ＯＳＤ生成部３０からの画像信号を映像信号に重畳させる。当該画像信号が重畳された映像信号は、音声出力用端子２４からケーブル６を介して表示装置４に出力される。すなわち、表示制御部１２は、音声出力用端子２４からケーブル６を介して表示装置４に出力される映像信号を利用して、通知画面３４を表示装置４に表示させる。
【００４１】
これにより、図５に示すように、表示装置４には通知画面３４が表示される（Ｓ１０５）。通知画面３４には、ケーブル６の接続状態に関する情報として、例えばケーブル６を音声出力用端子２４から映像音声出力用端子２２に正しく接続し直すようにユーザに促すためのメッセージ等が表示される。図５に示す通知画面３４において、「映像出力（映像・音声）端子」は映像音声出力用端子２２に対応し、「音声出力端子」は音声出力用端子２４に対応している。なお、通知画面３４が表示装置４に表示されると同時に、警告音が表示装置４のスピーカから出力されるようにしてもよい。ユーザは、表示装置４に表示された通知画面３４を見ることにより、ケーブル６を誤接続したことに気付くことができる。
【００４２】
その後、ユーザは、表示装置４に接続されたケーブル６を音声出力用端子２４から取り外し、取り外したケーブル６を映像音声出力用端子２２に接続し直す。この時、ユーザは、表示装置４に接続されたケーブル６を映像音声出力用端子２２に接続し直すとともに、オーディオアンプ３８に接続された別のケーブル６を音声出力用端子２４に接続してもよい。
【００４３】
検出部２６は、映像音声出力用端子２２及び音声出力用端子２４の各々に対するケーブル６の接続状態を再度検出し（Ｓ１０６）、検出結果が「接続状態１」〜「接続状態４」のいずれであるかを判定する（Ｓ１０７）。この時、検出部２６は、検出結果を切替部２８及びＯＳＤ生成部３０に出力する。
【００４４】
ユーザが、表示装置４に接続されたケーブル６を音声出力用端子２４から取り外し、取り外したケーブル６を映像音声出力用端子２２に接続し直さないことにより、検出部２６が検出結果を「接続状態１」と判定した場合には（Ｓ１０７で「接続状態１又は２」）、上述したステップＳ１０６に戻る。
【００４５】
また、ステップＳ１０７において、ユーザが、表示装置４に接続されたケーブル６を音声出力用端子２４から取り外さないことにより、検出部２６が検出結果を「接続状態２」と判定した場合には（Ｓ１０７で「接続状態１又は２」）、上述したステップＳ１０６に戻る。
【００４６】
また、ステップＳ１０７において、図６に示すように、ユーザが、表示装置４に接続されたケーブル６を音声出力用端子２４から取り外し、取り外したケーブル６を映像音声出力用端子２２に正しく接続し直すとともに、音声出力用端子２４にはケーブル６を接続しないことにより、検出部２６が検出結果を「接続状態３」と判定した場合には（Ｓ１０７で「接続状態３又は４」）、ＯＳＤ生成部３０は、検出部２６の検出結果に基づいて、通知画面３４を示す画像信号の生成を停止する。これにより、表示装置４には通知画面３４が非表示となる（Ｓ１０８）。また、切替部２８は、検出部２６の検出結果に基づいて、音声出力用端子２４を映像音声出力モードから音声出力モードに切り替える（Ｓ１０９）。なお、切替部２８が音声出力用端子２４を映像音声出力モードから音声出力モードに切り替えた後に、表示装置４において通知画面３４を非表示にさせるようにしてもよい。
【００４７】
その後、ＯＳＤ生成部３０は、初期設定画面３６を示す画像信号を生成する。映像信号取得部３２は、ＯＳＤ生成部３０からの画像信号を映像信号に重畳させる。当該画像信号が重畳された映像信号は、映像音声出力用端子２２からケーブル６を介して表示装置４に出力される。
【００４８】
これにより、図６に示すように、表示装置４には初期設定画面３６が表示され（Ｓ１１０）、処理が終了する。初期設定画面３６には、映像音声出力装置２の初期設定を行うための各種メニューが表示される。
【００４９】
上述したステップＳ１０７に戻り、図６に示すように、ユーザが、表示装置４に接続されたケーブル６を音声出力用端子２４から取り外し、取り外したケーブル６を映像音声出力用端子２２に正しく接続し直すとともに、オーディオアンプ３８に接続された別のケーブル６を音声出力用端子２４に接続したことにより、検出部２６が検出結果を「接続状態４」と判定した場合には（Ｓ１０７で「接続状態３又は４」）、上述と同様にステップＳ１０８〜Ｓ１１０が実行される。
【００５０】
また、上述したステップＳ１０４に戻り、ユーザが表示装置４に接続されたケーブル６を映像音声出力用端子２２に接続する、あるいは、ユーザが表示装置４に接続されたケーブル６を映像音声出力用端子２２に接続するとともに、オーディオアンプ３８に接続された別のケーブル６を音声出力用端子２４に接続することにより、検出部２６が検出結果を「接続状態３」又は「接続状態４」と判定した場合には（Ｓ１０４で「接続状態３又は４」）、上述したステップＳ１０９に進む。
【００５１】
［１−３．効果］
上述したように、本実施の形態では、映像音声出力装置２は、表示装置４とケーブル６を介して接続される。映像音声出力装置２は、ケーブル６を接続可能であり、多重化された映像信号及び音声信号を出力する映像音声出力用端子２２と、ケーブル６を接続可能であり、映像音声出力モードでは多重化された映像信号及び音声信号を出力し、音声出力モードでは音声信号を出力する音声出力用端子２４と、映像音声出力用端子２２及び音声出力用端子２４の各々に対するケーブル６の接続状態を検出する検出部２６と、検出部２６の検出結果に基づいて、音声出力用端子２４を映像音声出力モード及び音声出力モードのいずれかに切り替える切替部２８と、検出部２６によりケーブル６が音声出力用端子２４に接続され且つ映像音声出力用端子２２に接続されていないと検出された場合であって、切替部２８が音声出力用端子２４を映像音声出力モードに保持する際に、音声出力用端子２４からケーブル６を介して表示装置４に出力される映像信号を利用して、ケーブル６の接続状態に関する情報をユーザに通知するための通知画面３４を表示装置４に表示させる表示制御部１２とを備える。切替部２８は、検出部２６によりケーブル６が映像音声出力用端子２２に接続されたと検出された際に、音声出力用端子２４を映像音声出力モードから音声出力モードに切り替える。
【００５２】
これによれば、例えば映像音声出力装置２の初回電源投入時に、音声出力用端子２４は映像音声出力モードに保持される。これにより、ユーザが表示装置４に接続されたケーブル６を音声出力用端子２４に誤接続した際に、音声出力用端子２４からケーブル６を介して表示装置４に出力される映像信号を利用して、通知画面３４を表示装置４に表示させることができる。その結果、ケーブル６の誤接続をユーザに通知することができ、ケーブル６を正しく接続し直すことをユーザに促すことができる。さらに、ユーザがケーブル６を正しく接続し直した際に、切替部２８は音声出力用端子２４を映像音声出力モードから音声出力モードに切り替えるので、音声出力用端子２４から高音質の音声信号を出力させることができる。
【００５３】
また、本実施の形態において、切替部２８は、映像音声出力装置２の電源投入時に、音声出力用端子２４を映像音声出力モードに保持し、検出部２６は、切替部２８が音声出力用端子２４を映像音声出力モードに保持した状態で、ケーブル６の接続状態を検出する。
【００５４】
これによれば、例えば映像音声出力装置２の初回電源投入時に、ユーザが表示装置４に接続されたケーブル６を音声出力用端子２４に誤接続した際に、通知画面３４を表示装置４に表示させることができる。
【００５５】
また、本実施の形態において、表示制御部１２は、通知画面３４を示す画像信号を生成するＯＳＤ生成部３０と、映像信号を取得する映像信号取得部３２とを有する。映像信号取得部３２は、ＯＳＤ生成部３０により画像信号が生成された際に、当該画像信号を、映像音声出力モードに保持された音声出力用端子２４に供給するための映像信号に重畳させる。
【００５６】
これによれば、通知画面３４を示す画像信号を映像信号に重畳させることにより、通知画面３４を表示装置４に容易に表示させることができる。
【００５７】
また、本実施の形態において、映像音声出力装置２は、さらに、音声信号を取得する音声信号取得部１６と、映像信号取得部３２からの映像信号及び音声信号取得部１６からの音声信号を多重化する映像音声多重化部２０とを備える。切替部２８は、映像音声出力モードでは、映像音声出力用端子２２及び音声出力用端子２４の各々の接続先を映像音声多重化部２０に設定する。また、切替部２８は、音声出力モードでは、映像音声出力用端子２２の接続先を映像音声多重化部２０に設定し、且つ、音声出力用端子２４の接続先を音声信号取得部１６に設定する。
【００５８】
これによれば、比較的簡単な構成で、音声出力用端子２４を映像音声出力モード及び音声出力モードのいずれかに切り替えることができる。
【００５９】
また、本実施の形態では、制御方法は、表示装置４とケーブル６を介して接続される映像音声出力装置２の制御方法である。映像音声出力装置２は、ケーブル６を接続可能であり、多重化された映像信号及び音声信号を出力する映像音声出力用端子２２と、ケーブル６を接続可能であり、映像音声出力モードでは多重化された映像信号及び音声信号を出力し、音声出力モードでは音声信号を出力する音声出力用端子２４とを備える。制御方法は、映像音声出力用端子２２及び音声出力用端子２４の各々に対するケーブル６の接続状態を検出するステップと、ケーブル６が音声出力用端子２４に接続され且つ映像音声出力用端子２２に接続されていないと検出された場合であって、切替部２８が音声出力用端子２４を映像音声出力モードに保持する際に、音声出力用端子２４からケーブル６を介して表示装置４に出力される映像信号を利用して、ケーブル６の接続状態に関する情報をユーザに通知するための通知画面３４を表示装置４に表示させるステップと、ケーブル６が映像音声出力用端子２２に接続されたと検出された際に、音声出力用端子２４を映像音声出力モードから音声出力モードに切り替えるステップとを含む。
【００６０】
これによれば、上述と同様に、ケーブル６の誤接続をユーザに通知することができる。
【００６１】
（実施の形態２）
［２−１．映像音声出力装置の構成］
次に、図７を参照しながら、実施の形態２に係る映像音声出力装置２Ａの構成について説明する。図７は、実施の形態２に係る映像音声出力装置２Ａの構成を示すブロック図である。なお、本実施の形態では、上記実施の形態１と同一の構成要素には同一の符号を付して、その説明を省略する。
【００６２】
図７に示すように、本実施の形態の映像音声出力装置２Ａでは、切替部２８Ａの処理が上記実施の形態１と異なっている。具体的には、切替部２８Ａは、音声出力用端子２４が音声出力モードに保持された状態で、検出部２６によりケーブル６（図５参照）の接続状態が変化したと検出された際に、音声出力用端子２４を音声出力モードから映像音声出力モードに切り替える。ここで、「ケーブル６の接続状態が変化した」とは、例えば、検出部２６の検出結果が「接続状態３」又は「接続状態４」から「接続状態２」へ変化した場合を意味する。
【００６３】
［２−２．映像音声出力装置の動作］
次に、図８を参照しながら、実施の形態２に係る映像音声出力装置２Ａの動作について説明する。図８は、実施の形態２に係る映像音声出力装置２Ａの動作の流れを示すフローチャートである。なお、図８のフローチャートにおいて、上記実施の形態１で説明した図４のフローチャートと同一の処理には同一のステップ番号を付して、その説明を省略する。
【００６４】
以下、映像音声出力装置２の初期設定完了後において、少なくとも表示装置４（図５参照）に接続されたケーブル６が映像音声出力用端子２２に接続されており、且つ、音声出力用端子２４が音声出力モードに保持されている場合について説明する。
【００６５】
図８に示すように、例えばユーザが表示装置４に接続されたケーブル６を映像音声出力用端子２２から取り外して、ケーブル６を接続し直すなどすることにより、ケーブル６の接続状態が変化する（Ｓ２０１）。
【００６６】
検出部２６は、映像音声出力用端子２２及び音声出力用端子２４の各々に対するケーブル６の接続状態を検出し（Ｓ２０２）、検出結果が「接続状態１」〜「接続状態４」のいずれであるかを判定する（Ｓ２０３）。
【００６７】
ユーザが取り外したケーブル６を映像音声出力用端子２２及び音声出力用端子２４のいずれにも接続していないことにより、検出部２６が検出結果を「接続状態１」と判定した場合には（ステップＳ２０３で「接続状態１」）、上述したステップＳ２０２に戻る。
【００６８】
また、ステップＳ２０３において、ユーザが取り外したケーブル６を音声出力用端子２４に誤接続することにより、検出部２６が検出結果を「接続状態２」と判定した場合には（ステップＳ２０３で「接続状態２」）、切替部２８Ａは、検出部２６の検出結果に基づいて、音声出力用端子２４を音声出力モードから映像音声出力モードに切り替える（Ｓ２０４）。その後、上記実施の形態１と同様に、ステップＳ１０５〜Ｓ１０９が実行される。ステップＳ１０９の実行後、処理が終了する。
【００６９】
上述したステップＳ２０３に戻り、ユーザが取り外したケーブル６を映像音声出力用端子２２に接続する、あるいは、ユーザが取り外したケーブル６を映像音声出力用端子２２に接続するとともに、オーディオアンプ３８（図６参照）に接続された別のケーブル６を音声出力用端子２４に接続することにより、検出部２６が検出結果を「接続状態３」又は「接続状態４」と判定した場合には（Ｓ２０３で「接続状態３又は４」）、処理が終了する。
【００７０】
［２−３．効果］
上述したように、本実施の形態では、切替部２８Ａは、音声出力用端子２４が音声出力モードに保持された状態で、検出部２６によりケーブル６の接続状態が変化したと検出された場合であって、検出部２６によりケーブル６が音声出力用端子２４に接続され且つ映像音声出力用端子２２に接続されていないと検出された際に、音声出力用端子２４を音声出力モードから映像音声出力モードに切り替える。
【００７１】
これによれば、例えばケーブル６の接続状態が変化した結果、ユーザが表示装置４に接続されたケーブル６を音声出力用端子２４に誤接続した際に、通知画面３４を表示装置４に表示させることができる。
【００７２】
（変形例等）
以上のように、本出願において開示する技術の例示として、上記各実施の形態を説明した。しかしながら、本開示における技術は、これに限定されず、適宜、変更、置き換え、付加、省略などを行った実施の形態にも適用可能である。また、上記各実施の形態で説明した各構成要素を組み合わせて、新たな実施の形態とすることも可能である。
【００７３】
そこで、以下、他の実施の形態を例示する。
【００７４】
上記各実施の形態では、映像音声出力装置２（２Ａ）をＢＤレコーダで構成したが、これに限定されず、例えばゲーム機器等で構成してもよい。
【００７５】
また、上記各実施の形態では、表示装置４をテレビジョン受像機で構成したが、これに限定されず、例えばプロジェクタ等で構成してもよい。
【００７６】
また、上記各実施の形態では、検出部２６は、ホットプラグ信号に基づいてケーブル６の接続状態を検出したが、これに限定されず、例えば機械スイッチ又は光学スイッチ等を用いてケーブル６の接続状態を検出してもよい。
【００７７】
また、上記実施の形態１では、切替部２８は、映像音声出力装置２の初回電源投入時に、音声出力用端子２４を映像音声出力モードに保持したが、これに限定されず、例えば映像音声出力装置２の電源を２回目以降投入する毎に、音声出力用端子２４を映像音声出力モードに保持してもよい。
【００７８】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリなどの記録媒体に記録されたソフトウェアプログラムを読み出して実行することによって実現されてもよい。
【００７９】
また、上記各実施の形態に係る映像音声出力装置２（２Ａ）の機能の一部又は全てを、ＣＰＵ等のプロセッサがプログラムを実行することにより実現してもよい。
【００８０】
以上のように、本開示における技術の例示として、実施の形態を説明した。そのために、添付図面及び詳細な説明を提供した。
【００８１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８２】
また、上述の実施の形態は、本開示における技術を例示するためのものであるから、特許請求の範囲又はその均等の範囲において種々の変更、置き換え、付加、省略などを行うことができる。
【産業上の利用可能性】
【００８３】
本開示の映像音声出力装置は、例えばテレビジョン受像機とケーブルを介して接続されるＢＤレコーダ等として適用可能である。
【符号の説明】
【００８４】
２，２Ａ  映像音声出力装置
４  表示装置
６  ケーブル
８  ディスク部
１０  デコーダ部
１２  表示制御部
１４  映像解像度変換部
１６  音声信号取得部
２０  映像音声多重化部
２２  映像音声出力用端子
２４  音声出力用端子
２６  検出部
２８，２８Ａ  切替部
３０  ＯＳＤ生成部
３２  映像信号取得部
３４  通知画面
３６  初期設定画面
３８  オーディオアンプ
【図１】
2020198464.tif 000003
【図２】
2020198464.tif 000004
【図３】
2020198464.tif 000005
【図４】
2020198464.tif 000006
【図５】
2020198464.tif 000007
【図６】
2020198464.tif 000008
【図７】
2020198464.tif 000009
【図８】
2020198464.tif 000010